(57)【要約】【課題】水槽内で親貝が産んだ稚貝を簡単に選り分けることができる稚貝選り分け方法等を提供する。【解決手段】本発明に係る稚貝選り分け方法は、蛍の幼虫の餌となる貝を飼育するための水槽１の底に当該底の面積よりも一回り小さな面積の網（網箱２の底網２ａ）を設置するとともに、水槽１内に水Ｗを入れて、網の上に蛍の幼虫の餌となる貝の親貝３を入れる飼育準備ステップと、水槽１内で親貝３を飼育する飼育ステップと、当該親貝３が稚貝４を産んだ後、網を振動させ、網の網目を通して稚貝４を水槽１の底面１ａに篩い落とすことによって、親貝３と稚貝４とを選り分ける稚貝選り分けステップと、を備えたことを特徴とする。【選択図】図１
2015188389.tif 000002
【特許請求の範囲】
【請求項１】
蛍の幼虫の餌となる貝を飼育するための水槽の底に当該底の面積よりも一回り小さな面積の網を設置するとともに、水槽内に水を入れて、網の上に蛍の幼虫の餌となる貝の親貝を入れる飼育準備ステップと、
水槽内で親貝を飼育する飼育ステップと、
当該親貝が稚貝を産んだ後、網を振動させ、網の網目を通して稚貝を水槽の底面に篩い落とすことによって、親貝と稚貝とを選り分ける稚貝選り分けステップと、
を備えたことを特徴と稚貝選り分け方法。
【請求項２】
水槽の底に設置される網として、水槽の下方に位置される網の網目の大きさが水槽の上方に位置される網の網目の大きさよりも小さくなるように、網目の大きさの異なる複数の網が水槽の上下方向に間隔を隔てて配置された多重網を用い、最上部に位置する網の上で親貝を飼育して当該親貝が稚貝を産んだ後、当該多重網を振動させ、水槽の底面、及び、網目の大きさが異なる最上部以外の複数の網の上に、それぞれ大きさの異なる稚貝を篩い落とすことによって、蛍の幼虫の齢数毎に対応した大きさの稚貝を選り分けるようにしたことを特徴とする請求項１に記載の稚貝選り分け方法。
【請求項３】
水槽と、水槽の底に設置される網と、を備えた稚貝選り分け装置であって、
網の網目の大きさが、蛍の幼虫の餌となる貝の親貝の大きさよりも小さくて稚貝の大きさよりも大きい寸法に形成されたことを特徴とする稚貝選り分け装置。
【請求項４】
水槽の底に設置される網として、水槽の下方に位置される網の網目の大きさが上方に位置される網の網目の大きさよりも小さくなるように、網目の大きさの異なる複数の網が水槽の上下方向に間隔を隔てて配置されて構成された多重網を備えたことを特徴とする請求項３に記載の稚貝選り分け装置。
【発明の詳細な説明】
【技術分野】
【０００１】
本発明は、蛍の幼虫の餌となるカワニナ等の貝の稚貝を簡単に選り分けることが出来るようにした稚貝選り分け方法等に関する。
【背景技術】
【０００２】
蛍の生息には、蛍の幼虫の餌となるカワニナ等の巻貝の繁殖が必需である。
蛍の種類としては、日本では「ゲンジボタル」や「ヘイケボタル」等が有名である。
「ヘイケボタル」の幼虫は、カワニナの他にもタニシやモノアラガイなどの巻貝も餌として食すが、大きさや光の強さも大きく、観賞用として好まれる「ゲンジボタル」の幼虫は、餌としてカワニナしか食さないことが知られている。
従来、市街地の河川または水路においてカワニナの餌となる珪藻類を育ててカワニナを繁殖させる方法が知られているが、この方法では、自然環境に依存するために、天気、温度、湿度、風雨等の影響が大きく、必ずしも期待した通りに珪藻類が育たないため、カワニナを繁殖させることが難しい。そこで、水槽内でカワニナを人工的に飼育する技術が知られている（例えば特許文献１等参照）。
【先行技術文献】
【特許文献】
【０００３】
【特許文献１】特開２０１２−１２０４８０号公報
【発明の概要】
【発明が解決しようとする課題】
【０００４】
水槽内でカワニナ等を人工的に飼育した場合においては、水槽内に、親貝と稚貝とが混在することになるので、蛍の餌となる稚貝を選り分ける作業は、煩雑な作業となり、時間がかかる作業となってしまう。
本発明は、水槽内で親貝が産んだ稚貝を簡単に選り分けることができる稚貝選り分け方法等を提供する。
【課題を解決するための手段】
【０００５】
本発明に係る稚貝選り分け方法は、蛍の幼虫の餌となる貝を飼育するための水槽の底に当該底の面積よりも一回り小さな面積の網を設置するとともに、水槽内に水を入れて、網の上に蛍の幼虫の餌となる貝の親貝を入れる飼育準備ステップと、水槽内で親貝を飼育する飼育ステップと、当該親貝が稚貝を産んだ後、網を振動させ、網の網目を通して稚貝を水槽の底面に篩い落とすことによって、親貝と稚貝とを選り分ける稚貝選り分けステップと、を備えたので、水槽内で親貝が生んだ稚貝を簡単に選り分けることができる。
また、水槽の底に設置される網として、水槽の下方に位置される網の網目の大きさが水槽の上方に位置される網の網目の大きさよりも小さくなるように、網目の大きさの異なる複数の網が水槽の上下方向に間隔を隔てて配置された多重網を用い、最上部に位置する網の上で親貝を飼育して当該親貝が稚貝を産んだ後、当該多重網を振動させ、水槽の底面、及び、網目の大きさが異なる最上部以外の複数の網の上に、それぞれ大きさの異なる稚貝を篩い落とすことによって、蛍の幼虫の齢数毎に対応した大きさの稚貝を選り分けるようにしたので、蛍の幼虫の齢数毎に対応した大きさの稚貝を選り分ける作業を簡単に行える。
本発明に係る稚貝選り分け装置は、水槽と、水槽の底に設置される網と、を備えた稚貝選り分け装置であって、網の網目の大きさが、蛍の幼虫の餌となる貝の親貝の大きさよりも小さくて稚貝の大きさよりも大きい寸法に形成されたので、水槽内で親貝が産んだ稚貝を簡単に選り分けることができる稚貝選り分け装置を提供できる。
また、水槽の底に設置される網として、水槽の下方に位置される網の網目の大きさが上方に位置される網の網目の大きさよりも小さくなるように、網目の大きさの異なる複数の網が水槽の上下方向に間隔を隔てて配置されて構成された多重網を備えたので、蛍の幼虫の齢数毎に対応した大きさの稚貝を選り分ける作業を簡単に行える稚貝選り分け装置を提供できる。
【図面の簡単な説明】
【０００６】
【図１】カワニナの稚貝が水槽の底面に篩い落とされている状態を示す図。
【図２】水槽内に網箱が設置された稚貝選り分け装置を示す斜視図。
【図３】稚貝選り分け装置を示す分解斜視図。
【発明を実施するための形態】
【０００７】
実施形態１
まず、実施形態１に係る稚貝選り分け方法に使用する稚貝選り分け装置を説明する。
図２；図３に示すように、稚貝選り分け装置１０は、水槽１と網箱２とを備えて構成される。
水槽１は、有底上部開口の矩形箱状に形成されたガラス製や合成樹脂製等の容器である。
網箱２は、水槽１内に設置されて、水槽１の底面１ａと対向する底網２ａ、及び、水槽１の４つの内壁面１ｂ；１ｂ…とそれぞれ対向する４つの壁網２ｂ；２ｂ…を有した構成である。
即ち、網箱２は、底網２ａ及び壁網２ｂ；２ｂ…を有した上部開口の矩形箱状に形成された金属製や合成樹脂製等の網状容器であって、網目（網地を構成する金属や合成樹脂で囲まれて互いに隣り合う複数の孔）２ｘによる篩機能を備えた容器である。当該網箱２は、網目２ｘの大きさが、カワニナの親貝３（図１参照）の大きさよりも小さくて、かつ、カワニナの稚貝４の大きさよりも大きい寸法に形成される。
網箱２は、底網２ａ及び４つの壁網２ｂ；２ｂ…の寸法が、水槽１の底面１ａ及び４つの内壁面１ｂ；１ｂ…の寸法よりも一回り小さな寸法に形成された網状容器である。
【０００８】
網箱２の上縁部２ｔには、把手部５と引っ掛け部６とが連結されて設けられている。
把手部５は、網箱２を水槽１内で振動させる際に人が持つ把手として機能するものであり、対向する一対の壁網２ｂ；２ｂの上縁部２ｔにそれぞれ連結されて設けられる。当該一対の把手部５；５は、例えば、長方形の底網２ａの短辺より立ち上がる壁網２ｂ；２ｂのそれぞれの上縁部２ｔにおいて図２の前後の中央部に連結されることで、人が当該一対の把手部５；５を両手で持って網箱２を水槽１内で上下前後左右（図２参照）にバランスよく振動させやすいように構成されている。
把手部５は、例えば、壁網２ｂの上縁部２ｔより垂直に立ち上がる垂直片５ａと、垂直片５ａの先端より水平に延長する水平片５ｂとを備え、人が水平片５ｂを持って網箱２を水槽１内で上下前後左右に振動させることができるように構成されている。
【０００９】
引っ掛け部６は、当該網箱２を水槽１内において所定の状態に設置するための部材として機能する。引っ掛け部６は、対向する一対の壁網２ｂ；２ｂの上縁部２ｔにそれぞれ連結されて設けられる。引っ掛け部６は、例えば、長方形の底網２ａの短辺より立ち上がる壁網２ｂ；２ｂのそれぞれの上縁部２ｔにおいて図２の前後の前側及び後側のそれぞれに連結されて設けられる。引っ掛け部６は、例えば、水槽開口縁面１ｔに載置される水平板６ａと、水平板６ａの先端より下方に垂直に延長して水槽開口縁面１ｔ側の水槽１の外壁面１ｆに近接して対向する垂直片６ｂとを備え、水平板６ａの基端側が壁網２ｂの上縁部２ｔに連結された構成である。
【００１０】
当該網箱２を水槽１内に入れて底網２ａを水槽１の底面１ａに接触させた状態で、引っ掛け部６の水平片６ａを水槽開口縁面１ｔに載置することで（図２参照）、網箱２の水槽１内での左右前後方向の動きが引っ掛け部６の垂直片６ｂと水槽１の外壁面１ｆとの接触によって規制され、網箱２が水槽１内で左右前後方向に動き難いように設置されるような構成となっている。
【００１１】
カワニナの親貝３は、一般的に、５月上旬から１０月上旬にかけての５ヶ月間の間、毎日２〜１５程度の稚貝を産むことが知られている。卵は母親のおなかの中でふ化して貝殻ができるまで成長し、ある程度大きくなると順々に産み出される。５月始めに生まれた０．２ｍｍ〜０．５ｍｍのカワニナの稚貝４は、７月には２ｍｍに育ち、この２ｍｍ程度の大きさの稚貝４が、ゲンジボタルの孵化したばかりの幼虫の絶好の餌になると言われている。そこで、例えば、網目２ｘの大きさが例えば２ｍｍより若干大きい程度に形成された網箱２を使用する。
【００１２】
稚貝選り分け装置１０を用いた実施形態に係る稚貝選り分け方法は、飼育準備ステップと、飼育ステップと、稚貝選り分けステップと、を備えた方法である。
【００１３】
飼育準備ステップでは、蛍の幼虫の餌となる巻貝としての例えばカワニナを飼育するための水槽１内に網箱２を入れて、網箱２の底網２ａと水槽の底面１ａとを接触させた状態で引っ掛け部６の水平片６ａを水槽開口縁面１ｔに載置する。そして、図１に示すように、水槽１内に水Ｗを入れるとともに、網箱２の底網２ａ上に網目２ｘの寸法よりも大きい大きさの砂利９を敷き、この砂利９の上に網目２ｘの寸法よりも大きい大きさのカワニナの親貝３を入れる。
【００１４】
飼育ステップでは、水槽１内の環境を例えば特許文献１に記載された環境に設定して親貝を飼育する。即ち、エアレーション機能付の水循環浄化装置（上部濾過装置）等を用い、親貝３及び稚貝４の餌を水槽１内に投入し、水温を適温に保つ等の飼育環境を施す。
【００１５】
稚貝選り分けステップでは、カワニナの親貝３が稚貝４を産卵した後、網箱２を上下左右に振動させ、網箱２の網目２ｘを通して稚貝４を水槽１の底面１ａに篩い落とす（図１参照）。
例えば、５月に飼育を開始して７月の中旬頃に網箱２を上下左右に振動させることで、５月に産まれた稚貝４を網箱２の網目２ｘを通して水槽１の底面１ａに篩い落とすことにより、２ｍｍ程度までの大きさの稚貝４と親貝３とが選り分けられることになる。
【００１６】
実施形態１の稚貝選り分け方法によれば、所望の大きさ以下の稚貝４を網箱２の網目２ｘを通して水槽１の底面１ａ上に篩い落とすことにより、水槽１内の網箱２の底網２ａ上に居る親貝３が産んだ稚貝４を簡単に選り分けることができるようになる。
水槽１の底面１ａに篩い落とされて選り分けられた稚貝４は、網箱２を水槽１内より取り出した後に、水槽１の底面１ａを図外の捕集網などですくう等して回収し、回収した稚貝４は、蛍飼育場所で飼育されている蛍の幼虫の餌とする。
例えば、上述したように、２ｍｍ程度までの大きさの稚貝４と親貝３とが選り分けられて、２ｍｍ程度までの大きさの稚貝４を回収した場合、２ヶ月程度成長した２ｍｍ程度の大きさの稚貝４を選んで、ゲンジボタルの孵化したばかりの幼虫の餌として与えることができる。また、回収された稚貝４のうち、例えば１ｍｍに満たないような小さな稚貝４は、再度水槽１内に戻して成長させた後に再度回収するようにすればよい。
【００１７】
尚、蛍の幼虫は、自分の体長よりも大きく成長したカワニナを食べることが難しいと言われているため、幼虫の齢数（ステージ）に応じた大きさの稚貝４を餌として与えることが望ましい。
そこで、齢数の大きい幼虫に餌を与える場合には、網目２ｘの寸法の大きさを大きくした網箱２を用いることによって、大きさの大きい稚貝４を網箱２の網目２ｘを通して水槽１の底面１ａに篩い落とすことができ、齢数の大きい幼虫の餌として適した大きさの稚貝４を回収できるようになる。
【００１８】
実施形態２
底網を多重底網構造とした網箱を用いても良い。即ち、網目２ｘの大きさの異なる複数の網を備えた底面構造を有した網箱を用いても良い。
上述したように、蛍の幼虫には、幼虫の齢数に応じて適した大きさの稚貝４を餌として与えることが望ましいので、当該多重底網構造の網箱を用いれば、異なる大きさの稚貝４を選り分けることができるようになり、幼虫の異なる齢数に応じた異なる大きさの稚貝４を１回の選り分け作業で選り分けることができるようになる。
【００１９】
例えば、網箱の最下方に位置する底網の網目の大きさを２ｍｍ程度にし、当該最下方の底網の上方に、複数の網がそれぞれ水槽１の上下方向に所定間隔を隔てて設けられた多重底網構造の網箱を構成し、上下に隣り合うように設置される上方の底網の網目の寸法が下方の底網の網目の寸法よりも例えば１ｍｍ〜２ｍｍ程度大きく形成された構成とし、最上部の底網の上に親貝３を設けて飼育する。
そして、所定期間毎に多重底網構造の網箱を上下左右前後に振動させることによって、水槽１の底面１ａ上、及び、最上部の底網以外の各底網上には、それぞれ、異なる大きさの稚貝４が篩い落とされることになる。
即ち、幼虫の複数の齢数（ステージ）に応じた最適な大きさの稚貝を一度に選り分けることが可能となる。
この場合、上述した網箱２の底網２ａの下方にさらに網が対向した状態となるように、当該網が網箱２に対して着脱可能なように構成されれば、親貝３が載せられている底網２ａを取り外すことなく、下方の網を着脱するだけで、稚貝４の回収作業を行えるので、回収作業が簡単となる。
【００２０】
尚、上記では網箱を用いたが、蛍の幼虫の餌となる貝を飼育するための水槽１の底に当該底の面積よりも一回り小さな面積の網を設置するとともに、水槽１内に水Ｗを入れて、網の上に蛍の幼虫の餌となる貝の親貝３を投入して飼育し、当該親貝３が稚貝４を産んだ後、網を振動させ、網の網目を通して稚貝３を水槽１の底面１ａに篩い落として親貝３と稚貝４とを選り分けるようにしてもよい。
また、水槽１の底に設置される網として、水槽１の下方に位置される網の網目の大きさが水槽１の上方に位置される網の網目の大きさよりも小さくなるように、網目の大きさの異なる複数の網が水槽１の上下方向に間隔を隔てて配置された多重網を用い、最上部に位置する網の上で親貝３を飼育して当該親貝３が稚貝４を産んだ後、当該多重網を振動させ、水槽１の底面１ａ、及び、網目の大きさが異なる最上部以外の複数の網の上に、それぞれ大きさの異なる稚貝３を篩い落とすことによって、蛍の幼虫の齢数毎に対応した大きさの稚貝を選り分けるようにしてもよい。
即ち、必ずしも、網箱を用いる必要はなく、網箱の底網に相当する網又は網目の大きさの異なる複数の網を用いて、網の上又は最上部の網の上で親貝３が産んだ稚貝４を、網を振動させることで篩い落として選り分けるようにすればよい。
【００２１】
また、上記では、「ゲンジボタル」の幼虫の餌となるカワニナの稚貝を選り分ける場合を例にして説明したが、本発明は、「ヘイケボタル」の幼虫の餌となるタニシやモノアラガイなどの巻貝の稚貝を選り分ける場合の方法及び装置としても適用可能である。
【符号の説明】
【００２２】
１  水槽、１ａ  水槽の底面、２  網箱、２ｘ  網目、３  親貝、４  稚貝。
【図１】
2015188389.tif 000003
【図２】
2015188389.tif 000004
【図３】
2015188389.tif 000005